(57)【要約】  【課題】  焦電型赤外線センサー(人体センサー)により制御される照明器具における自己点滅誤動作を防止する。  【解決手段】  本体１の下面に蛍光ランプまたは白熱ランプなどのランプ２と焦電型赤外線センサー(焦電センサ)３を設けて半透光性のグローブ４(人体からの赤外線を通すポリエチレン製など)で覆い、前記センサー３により人体が検知された場合に前記ランプ２を点灯する照明器具において、電源投入直後の所定時間(例えば30秒間)に渡って人体検知機能を無効にするとともにランプ２を強制的に全光点灯モードとし、この全光点灯モード終了後、ランプ２の出力が中間的に低下した時点まで人体検知機能の無効を継続した照明器具である。【選択図】  図３
2005197028.tif 000002
【特許請求の範囲】
【請求項１】
本体の下面にランプと焦電型赤外線センサーを設けて半透光性のグローブで覆い、前記センサーにより人体が検知された場合に前記ランプを点灯する照明器具において、電源投入直後の所定時間に渡って人体検知機能を無効にするとともにランプを強制的に全光点灯モードとし、この全光点灯モード終了後、ランプの出力が中間的に低下した時点まで人体検知機能の無効を継続した照明器具。
【請求項２】
請求項１において、ランプの出力が中間的に低下した時点とは、ランプの光出力変化比に換算して30〜70％の時点である照明器具。
【請求項３】
請求項１において、ランプは環状の蛍光ランプであり、その略中央にセンサーを配置した照明器具。
【発明の詳細な説明】
【技術分野】
【０００１】
本発明は、焦電型赤外線センサー(焦電センサ)により制御される照明器具に関する。
【背景技術】
【０００２】
本体の下面にランプと焦電型赤外線センサーを設けて前記センサーのみを露出する窓孔のある半透光性のグローブで覆い、前記センサーにより人体が検知された場合に前記ランプを点灯する照明器具はよく知られたところである。そして、焦電型赤外線センサーでは電源投入直後から約10〜20秒間程度は動作が不安定なため、そのセンサーからの出力状態を無視して人体検知機能を無効にするとともに、電源投入直後の所定時間に渡ってランプを強制的に全光点灯モードとしてユーザーに不審感を与えないようにするとともに、この時間を前記センサーのための安定化待機時間としている。そして、この全光点灯モード終了後は人体検知機能を有効にするとともに、人体検知のない限り前記ランプを消灯させていた。ところで、特許文献１のように、本体の下面にランプと焦電型赤外線センサーを設けた上で前記のような窓孔のない半透光性のグローブで覆う照明器具も知られている。
【特許文献１】特開平１０−１０６３４０号公報
【発明の開示】
【発明が解決しようとする課題】
【０００３】
しかし、特許文献１のような照明器具において、電源投入直後の強制的全光点灯モードの終了後にランプが消灯すると、次のような問題が発生することが分かってきた。すなわち、人体が検知されていないにもかかわらず、一旦消灯したランプが再び点灯する問題である。この原因について究明して行くと、最近の照明器具は小型化または薄型化される傾向にあるにもかかわらず、ランプは逆に比較的高ワットのものが用いられるようになっており、ランプからわずかに放出される長波長域(人体からの赤外線と同様な10μｍ前後の長波長域)の赤外線が前記センサーに入射して検知されており、前記センサーは入射する赤外線量の変化に反応するタイプのため、ランプがいきなり消灯になると人体を検知したときと同様に検知信号を発生してしまい、ランプが点灯するということであった。このように、焦電型赤外線センサーをグローブ内に収めた照明器具においては、ランプからの赤外光がグローブ内面で反射して前記センサーに入射するため、このような問題(自己点滅誤動作)が発生しやすくなっているのが判明した。本発明はこのような解決すべき課題を鑑み、焦電型赤外線センサー(人体センサー)により制御される照明器具における自己点滅誤動作を防止することを目的とする。
【課題を解決するための手段】
【０００４】
本発明を要約すると、本体の下面にランプと焦電型赤外線センサーを設けて半透光性のグローブで覆い、前記センサーにより人体が検知された場合に前記ランプを点灯する照明器具において、電源投入直後の所定時間に渡って人体検知機能を無効にするとともにランプを強制的に全光点灯モードとし、この全光点灯モード終了後、ランプの出力が中間的に低下した時点まで人体検知機能の無効を継続した照明器具である。
【発明の効果】
【０００５】
本発明によれば、電源投入直後の強制的な全光点灯モード終了後、ランプの出力が中間的に低下した時点まで人体検知機能の無効を継続しているため、その間に焦電型赤外線センサーから誤った人体検知信号が出力されたとしても、従来のようにランプが再び全光点灯するような自己点滅誤動作が防止される。また、前記無効継続時間が終了すると人体検知機能が有効になるが、この時点からの消灯になるまでのランプ出力変化は小さいため、やはり、自己点滅誤動作が防止される。さらに、人体検知機能が有効になった時点で動いている人体が存在すれば直ちにランプが点灯するため、電源投入直後からそこに存在し続けているユーザーにとって、全光点灯モード後、殆ど間断なくランプが点灯しているように感じられて違和感が解消される。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、本体１の下面に蛍光ランプまたは白熱ランプなどのランプ２と焦電型赤外線センサー(焦電センサ)３を設けて半透光性のグローブ４(人体からの赤外線を通すポリエチレン製など)で覆い、前記センサー３により人体が検知された場合に前記ランプ２を点灯する照明器具において、電源投入直後の所定時間(例えば30秒間)に渡って人体検知機能を無効にするとともにランプ２を強制的に全光点灯モードとし、この全光点灯モード終了後、ランプ２の出力が中間的に低下した時点まで人体検知機能の無効を継続した照明器具である。
【０００８】
前記所定時間としては最低限20秒程度あればよく、上限としては、点灯継続し過ぎてユーザーに不審感を持たれないように60秒程度とすればよい。また、ランプ２の出力が中間的に低下した時点とは、ランプ２の光出力変化比に換算して30〜70％の時点である。そして、本実施形態では、ランプ２は二重環型40Ｗのように高輝度タイプの環状蛍光ランプであり、その略中央にセンサー３を配置している。前記センサー３の検知信号はマイコン５に入力され、マイコン５は検知信号に応じてインバータ制御部６に点灯信号を供給する。インバータ制御部６はインバータ７の半導体スイッチング素子を開閉するためのインバータ駆動信号を供給し、これによりインバータ７の高周波交流出力はランプ２に供給される。
【０００９】
動作を説明すると、まず、電源が本照明器具に時刻t0にて投入されると、マイコン５はセンサー３からの出力状態を無視することにより人体検知機能を無効にするとともに強制的に点灯信号をインバータ制御部６に出力するのでインバータ制御部６はインバータ７を全出力動作させて、ランプ２は強制的に全光点灯(定格点灯)する。この目的は前述したように、焦電型赤外線センサー３は電源投入直後から約10〜20秒間程度は動作が不安定なため、そのセンサー３からの出力状態(検知信号)を無視して人体検知機能を無効にし、電源投入直後の所定時間に渡ってランプ２を強制的に全光点灯するものであり、この時間を前記センサー３のための安定化待機時間としている。この時間内では人体検知機能が無効なため、センサー３の出力に現れる人体検知信号の状態に関係なくランプ２が点灯継続する。この時間が経過した後、時刻t2にてマイコン５は直ちにランプ２を消灯しようとするが、本実施形態の特徴として、時刻t2〜t3においても人体検知機能の無効を継続する。すなわち、ランプ２の出力が中間的に低下した時点t3まで人体検知機能の無効を継続する。
【００１０】
このように、電源投入直後の強制的な全光点灯モード終了後、ランプ２の出力が中間的に低下した時点t3まで人体検知機能の無効を継続しているため、その間に焦電型赤外線センサー３から誤った人体検知信号(図３において時刻t2〜t3の間に発生している人体検知信号)が出力されたとしても、従来のようにランプ２が再び全光点灯するような自己点滅誤動作が防止される。また、前記無効継続時間が時刻t3にて終了すると人体検知機能が有効になるが、この時点からの消灯(時刻t4)になるまでのランプ出力変化は小さいため、やはり、自己点滅誤動作が防止される。さらに、人体検知機能が有効になった時点で動いている人体が存在すれば直ちにランプ２が点灯するため、電源投入直後からそこに存在し続けているユーザーにとって、全光点灯モード後、殆ど間断なくランプ２が点灯しているように感じられて違和感が解消される。また、その後は例えば時刻t5にて人体検知されるとランプ２が点灯するという人体検知機能の有効継続モードになっている。なお、図には記載されないが、人体検知機能の有効継続モード中に人体非検知によりランプ２が消灯する場合には、一旦調光点灯になってから消灯するという段階的消灯制御を行うと、自己点滅誤動作が防止される。
【図面の簡単な説明】
【００１１】
【図１】本発明の実施形態を示す断面図
【図２】同回路ブロック図
【図３】同動作のタイミング図
【符号の説明】
【００１２】
１  本体
２  ランプ
３  焦電型赤外線センサー
４  グローブ
【図１】
2005197028.tif 000003
【図２】
2005197028.tif 000004
【図３】
2005197028.tif 000005